(57)【要約】【課題】  裏地の形状と構造により新規な美観を発揮する和服、および和服の裏地用生地を提供する。【解決手段】  本考案の和服は、装着した状態で、裏地（八掛）が有する複数のひだが裾口または袖口から視認可能である。例えば、裾口または袖口は、裏地（八掛）１と表地２からなる。表地２は先端部が内側に折り返され、ひだを形成している。裏地１は、その先端部が内側に折り返され、第１のひだ３を形成している。裏地１において、第１のひだ３以外の部分４は、さらに内側に折り返され、第２のひだを形成している。本考案の和服は、このような形状および構造により新規な美観を有し、正装、普段着等の多様な用途に使用可能である。【選択図】        図１
0003132642.tif 000002
【実用新案登録請求の範囲】
【請求項１】
裾および袖の少なくとも一方に裏地（八掛）を有する和服であって、
前記裏地は、裾口および袖口の少なくとも一方において、折り返しにより形成されたひだを複数有し、前記各ひだは、裾口または袖口と平行に配置されており、前記和服を装着した状態で、前記各ひだの先端が外部から視認可能であることを特徴とする和服。
【請求項２】
裾に裏地（八掛）を有し、前記裾における裏地が前記複数のひだを有する請求項１記載の和服。
【請求項３】
前記裏地において、前記各ひだが異なる色彩を有する請求項１または２記載の和服。
【請求項４】
裾に裏地（八掛）を有し、前記裾における裏地が、縁とそれ以外の部分においてそれぞれ異なる色彩を有する請求項１〜３のいずれかに記載の和服。
【請求項５】
請求項１〜４のいずれかに記載の和服であって、表地が第１の模様と第２の模様を有し、前記第１の模様は、複数の同じ模様が一方向に繰り返し描かれており、前記第２の模様は、上下方向の定方向性および縫い目における連続性の少なくとも一方を有する和服。
【請求項６】
表地の右肩、左胸（襟左）、右外袖、左内袖、および裾からなる群から選択される少なくとも一つの部分が前記第２の模様を有する請求項５記載の和服。
【請求項７】
表地の裾部分において、左衽、左前身頃、左後身頃、右後身頃、右前身頃および右衽の全てが前記第２の模様を有し、前記第２の模様が縫い目における連続性を有する請求項５または６記載の和服。
【請求項８】
請求項５〜７のいずれかに記載の和服であって、前記表地が、
（１）  前記第１の模様を有する生地を準備する工程
および、
（２）  前記第１の模様を有する生地または表地に、さらに前記第２の模様を付与する工程
を含む製造方法により製造される和服。
【請求項９】
前記工程（２）において、前記第２の模様を付与する方法が、型染め、手描き、印刷、糊置防染法（友禅染め）、ろうけつ染め、絞り、刺繍、ホットメルト法、板染め柄足し、金柄足し彩色（金粉、金箔等による彩色）、異生地柄付け、ガン抜彩色、染抜彩色、ダンマル染色、木版、捺染染め（ロール染め）、印押染め、版画、スタンプ、ピース彩色および草木染めからなる群から選択される少なくとも一つである請求項８記載の和服。
【請求項１０】
請求項５〜７のいずれかに記載の和服であって、前記表地が、
（１’）  前記第２の模様を有する生地を準備する工程
および、
（２’）  前記第２の模様を有する生地または表地に、さらに前記第１の模様を付与する工程
を含む製造方法により製造される和服。
【請求項１１】
前記工程（２’）において、前記第１の模様を付与する方法が、型染め、手描き、印刷、糊置防染法（友禅染め）、ろうけつ染め、絞り、刺繍、ホットメルト法、板染め柄足し、金柄足し彩色（金粉、金箔等による彩色）、異生地柄付け、ガン抜彩色、染抜彩色、ダンマル染色、木版、捺染染め（ロール染め）、印押染め、版画、スタンプ、ピース彩色および草木染めからなる群から選択される少なくとも一つである請求項１０記載の和服。
【請求項１２】
請求項１〜１１のいずれかに記載の和服の裏地に用いる生地。
【請求項１３】
請求項１２記載の生地であって、前記生地一枚が和服一着分の裏地に相当し、前記生地一枚の長さが十一尺（４１５．８ｃｍ）以上である生地。
【請求項１４】
前記生地一枚が、和服一着分の裾、袖口および衿先の裏地に相当する請求項１３記載の生地。
【請求項１５】
請求項５〜１１のいずれかに記載の和服の表地に用いる生地。
【請求項１６】
前記第１の模様および第２の模様を有する請求項１５記載の生地。
【考案の詳細な説明】
【技術分野】
【０００１】
本考案は、和服および和服の裏地用生地に関する。
【背景技術】
【０００２】
和服は、日本固有の衣装である。現代の日本では、洋服が日常的な衣服として普及しているが、和服もなお生活に必要不可欠である。和服は、例えば冠婚葬祭等における礼服、あるいは普段着等、多様な用途に用いられている。さらに、近代の国際交流により、外国人向け着物の需要もあるなど、むしろ、和服の重要性は増大しつつあると言える。
【０００３】
和服は、いずれの用途においても、機能とともに美観が非常に重要である。そのために、表地の形状、構造等のみならず、裏地の形状、構造等も考慮される場合がある。より具体的には、例えば、和服装着時の動作の中で裾口または袖口における裏地（八掛）の一部が見えたときの印象を考慮し、表地の形状、構造等に合わせて裏地を選択することがある（非特許文献１等）。また、例えば、装着時に、裏地の一部（ふき）が裾口、袖口等から常時露出した形状を有する和服もある（特許文献１等）。
【０００４】
和服が有する美観およびデザインは、古代から、時代の要請、需要者の嗜好等とともに様々に発展してきた（非特許文献２等）。そして、新たな美観を発揮するための和服の形状、構造等が考案されてきた。例えば、前述の裏地の形状等もその一例である。和服の美観のさらなる発展のために、和服の新規な形状、構造等の考案は必要不可欠である。
【０００５】
【特許文献１】登録実用新案第３０５９０９２号
【非特許文献１】「きものの基本」、第５版、アシェット婦人画報社、２００６年１０月３日、ｐ．３７
【非特許文献２】「きものの基本」、第５版、アシェット婦人画報社、２００６年１０月３日、ｐ．７８〜８３
【考案の開示】
【考案が解決しようとする課題】
【０００６】
したがって、本考案の目的は、裏地の形状と構造により新規な美観を発揮する和服、および和服の裏地用生地を提供することである。
【課題を解決するための手段】
【０００７】
前記課題を解決するために、本考案の和服は、
裾および袖の少なくとも一方に裏地（八掛）を有する和服であって、
前記裏地は、裾口および袖口の少なくとも一方において、折り返しにより形成されたひだを複数有し、前記各ひだは、裾口または袖口と平行に配置されており、前記和服を装着した状態で、前記各ひだの先端が外部から視認可能であることを特徴とする。
【０００８】
また、本考案の和服の裏地用生地は、前記本考案の和服の裏地に用いる生地である。
【考案の効果】
【０００９】
前述の通り、装着時に、裏地の一部（ふき）が裾口、袖口等から常時露出した形状を有する和服は従来から存在した。しかし、本考案の和服のように、和服の装着時において裏地の複数のひだが裾口あるいは袖口から視認可能とする発想は、従来の和服の技術分野にはなかった。この特徴的な形状と構造により、本考案の和服は、従来になかった新規な美観を発揮できる。また、本考案の和服の裏地は、本考案の和服の裏地用生地を用いて製造することができる。本考案の和服は、例えば、裏地と表地を一体として和服に仕立てた後に販売しても良いが、裏地用生地のみを単独で販売しても良い。本考案の和服の裏地または裏地用生地の色彩、模様等は、表地に合わせて適宜選択することが可能であり、例えば、消費者の嗜好に応じて選択しても良い。これによれば、各消費者の嗜好に適合した和服の美観を提供することが可能である。
【考案を実施するための最良の形態】
【００１０】
以下、本考案の和服およびその裏地用生地について詳しく説明するが、本考案は、以下の説明に限定されない。
【００１１】
図１に、前記複数のひだを有する裾口または袖口の形状および構造を例示する。図１（ａ）は前記裾口または袖口の断面図であり、図１（ｂ）は前記裾口または袖口の一部の斜視図である。図示の通り、この和服の裾口または袖口は、裏地（八掛）１と表地２からなる。表地２は先端部が内側に折り返され、ひだを形成している。裏地１は、その先端部が内側に折り返され、第１のひだ３を形成している。裏地１において、第１のひだ３以外の部分４は、さらに内側に折り返され、第２のひだを形成している。裏地１における第１のひだ３の先端は、表地のひだの先端よりも下まで伸びている。また、裏地１における第２のひだの先端は、第１のひだ３の先端よりも下まで伸びている。これにより、裏地１における前記２つのひだの先端は、いずれも、和服を装着した状態で外部から視認可能である。裏地１と表地２における前記各ひだは、内側に折り返した部分で縫い合わされ、固定されている。図中の点線は、前記縫い合わせの位置を示す。なお、図１は模式図であり、本考案において前記縫い合わせの位置は図１の位置に限定されない。
【００１２】
本考案の和服は、前記裏地において、前記各ひだが異なる色彩を有することが好ましい。すなわち、例えば、図１において、第１のひだ３と、それ以外の部分４が異なる色彩を有することが好ましい。これにより、複数のひだで新規な美観を発揮するという本考案の効果が一層明確に達成される。しかし、本考案はこれに限定されず、前記各ひだが同じ色彩であっても良い。
【００１３】
本考案の和服において、前記裾口または袖口以外の部分の形状および構造は、特に限定されない。さらに、前記裾口または袖口部分の形状および構造は、図１に示した形状および構造に限定されない。例えば、図１では、前記複数のひだの数は２つであるが、本考案では、前記複数のひだの数は３つ以上でも良い。前記複数のひだにおいて、それぞれの長さの比も特に限定されない。また、本考案の和服は、前記の通り、裾および袖の少なくとも一方に裏地（八掛）を有する。和服装着状態で外部から視認可能な前記複数のひだを有するのは、裾口または袖口のいずれでも良い。例えば、裾に裏地（八掛）を有し、前記裾における裏地が前記複数のひだを有し、袖口は前記複数のひだを有しないことが好ましい。この場合、袖口においては、例えば、和服を装着した状態で、裏地のひだが一つのみ視認可能でも良いし、裏地のひだが視認可能でなくても良い。また、例えば、前記袖口における裏地が前記複数のひだを有し、裾口は前記複数のひだを有していなくても良い。この場合、裾口においては、例えば、和服を装着した状態で、裏地のひだが一つのみ視認可能でも良いし、裏地のひだが視認可能でなくても良い。さらに、例えば、裾口および袖口の両方が前記複数のひだを有することも好ましい。
【００１４】
本考案の和服の種類は特に限定されない。例えば、本考案の和服は、女性用和服であることが好ましいが、男性用であっても良い。女性用である場合、その種類は特に限定されないが、例えば、振袖、留袖、色無地、付下げ、訪問着、晴着、喪服、礼服、小紋、着尺小紋等が挙げられる。振袖としては、例えば、長振袖、中振袖等が挙げられる。留袖としては、例えば、色留袖、黒留袖等が挙げられる。留袖は、例えば、紋入りでも良いし、紋無しでも良い。色無地は、例えば、紋入りでも良いし、紋無しでも良い。また、本考案の和服の用途は特に限定されない。例えば、正装に用いても良いし、普段着に用いても良い。本考案の和服の種類に応じて適切な用途を選択することが好ましい。前記各種和服の用途は、特に限定されないが、例えば以下の通りである。小紋および着尺小紋は、例えば、普段着として、日常着、習い事等に適する。それ以外は、例えば、正装に適する。より具体的には、振袖および晴着は、例えば、成人式等に適する。留袖は、例えば、結婚式等に適する。色無地は、例えば、入学式、卒業式、法事等に適する。訪問着および付下げは、例えば、結婚式、他家訪問、茶事等に適する。
【実施例１】
【００１５】
次に、本考案の和服に用いる裏地（八掛）用生地の一例について説明する。図２に、この裏地用生地を示す。同図の裏地用生地は、一枚が和服一着分の裾、袖口および衿先の裏地（八掛）に相当する。図示の通り、この裏地用生地全体の形状は、幅方向（図上下方向）の寸法よりも長さ方向（図左右方向）の寸法が大きい長方形である。前記幅方向は、和服に仕立てたときの左右方向に相当する。前記長さ方向は、和服に仕立てたときの上下方向に相当する。この裏地用生地は、左衽相当部分２０１、左前身頃相当部分２０２、左後身頃相当部分２０３、右後身頃相当部分２０４、右前身頃相当部分２０５、右衽相当部分２０６と、袖口および衿先相当部分２０７からなる。前記符号２０１〜２０６で表される部分、すなわち袖口および衿先相当部分２０７以外の部分は、裾相当部分である。さらに、袖口および衿先相当部分２０７は、袖口相当部分２０８および衿先相当部分２０９からなる。この裏地用生地は一枚の生地である。２０１〜２０９の各部分はいずれも長方形の形状をしており、一体となって同図の裏地用生地を形成している。和服に仕立てる際には、２０１〜２０９の各部分を裁断等により分離することが可能である。同図の裏地用生地の一端（図左端）には、左前身頃相当部分２０２が配置されている。その右隣には左後身頃相当部分２０３が配置されている。さらに、その右隣には、右後身頃相当部分２０４および右前身頃相当部分２０５がこの順に配置されている。さらに、右前身頃相当部分２０５の右隣には、左衽相当部分２０１および右衽相当部分２０６が配置されている。左衽相当部分２０１および右衽相当部分２０６は、裏地用生地の幅方向に並列している。これらの右隣すなわち裏地用生地のもう一方の端には、袖口および衿先相当部分２０７が配置されている。袖口および衿先相当部分２０７は、上下に三分割され、上から一番目と二番目の部分が袖口相当部分２０８を構成し、一番下の部分が衿先相当部分２０９を構成している。袖口相当部分２０８は、一方が右袖口、他方が左袖口の裏地に相当する。衿先相当部分２０９は、さらに左右に二分割されており、一方が右衿先、他方が左衿先の裏地に相当する。裾相当部分２０１〜２０６および袖口相当部分２０８は、それぞれ、裏地（八掛）の第１のひだに相当する部分３およびそれ以外の部分４からなる。前記第１のひだ相当部分３は、図２において、裾相当部分２０１〜２０６の各部分の右端または左端、および袖口相当部分２０８の上端または下端に位置する。第１のひだ相当部分３は、同図において、裾相当部分２０１〜２０６の各部分の上端から下端まで達する帯状の形状を有する。なお、図２では、明瞭のために、第１のひだ相当部分３およびそれ以外の部分４を異なる色彩で描いている。実際の色彩は、後述の通り、３と４で異なることが好ましいが、同じであっても良い。
【００１６】
同図に示す裏地用生地の寸法は、特に限定されないが、例えば以下の通りである。なお、一尺とは、いわゆる曲尺、鯨尺などがあるが、本考案では鯨尺であるものとする。すなわち、本考案では、一尺は２５／６６ｍ（３７．９ｃｍ）に等しい。また、一寸は一尺の１／１０すなわち２５／６６０ｍ（３．７９ｃｍ）に等しい。一分は一寸の１／１０すなわち２５／６６００ｍ（０．３７９ｃｍ）に等しい。また、一丈は、一尺の十倍すなわち２５０／６６ｍ（３７９ｃｍ）に等しい。
【００１７】
図２において、裾相当部分２０１〜２０６の寸法は特に限定されず、本考案の和服の裏地（八掛）用生地として用いることができれば良い。例えば、裾相当部分２０１〜２０６は、第１のひだ相当部分３を有するため、長さ方向（図左右方向）の寸法を、従来の和服の裏地用生地よりも若干長めにすることが好ましい。左前身頃相当部分２０２の長さＬ２、左後身頃相当部分２０３の長さＬ３、右後身頃相当部分２０４の長さＬ４、および右前身頃相当部分２０５の長さＬ５は、それぞれ一尺六寸（６０．６ｃｍ）以上であることが好ましい。Ｌ２〜Ｌ５は、より好ましくは、それぞれ一尺七寸（６４．４ｃｍ）以上である。Ｌ２〜Ｌ５は、さらに好ましくは、それぞれ一尺七寸五分（６６．３ｃｍ）以上である。Ｌ２〜Ｌ５は、特に好ましくは一尺八寸（６８．２ｃｍ）以上である。長さＬ２〜Ｌ５の上限値は特に限定されず、長さが大きければ裏地用生地として用いやすいが、例えば、三尺（１１４ｃｍ）以下である。なお、Ｌ２〜Ｌ５は、全て同じでも良いし、それぞれ異なっていても良い。また、左前身頃相当部分２０２、左後身頃相当部分２０３、右後身頃相当部分２０４、および右前身頃相当部分２０５は、必ずしもその通りの部分に用いなくても良い。例えば、前記各部分の寸法が同じまたは同程度である場合、前記各部分のどれを裏地用生地の身頃のどの部分に用いることもできる。特に、前記各部分が、寸法、色彩および模様等の全ての性質において完全に同一であれば、どれをどの部分に用いても同じである。左衽相当部分２０１および右衽相当部分２０６の長さＬ1は、例えば二尺六寸五分（１００ｃｍ）以上である。Ｌ１は、好ましくは二尺七寸（８１．８ｃｍ）以上である。Ｌ１は、より好ましくは二尺七寸（１０２ｃｍ）以上である。Ｌ１は、さらに好ましくは二尺八寸（１０６ｃｍ）以上、特に好ましくは二尺八寸五分（１０８ｃｍ）以上である。Ｌ1の上限値は特に限定されず、長さが大きければ裏地用生地として用いやすいが、例えば五尺（１８９ｃｍ）以下である。また、裾相当部分２０１〜２０６における第１のひだ相当部分３の幅（図左右方向すなわち和服に仕立てたときの上下方向寸法）Ｌ１０は、特に限定されないが、例えば一寸（３．７９ｃｍ）〜一寸五分（５．６８ｃｍ）、好ましくは一寸五分（５．６８ｃｍ）〜二寸（７．５８ｃｍ）、より好ましくは二寸（７．５８ｃｍ）〜二寸五分（９．４７ｃｍ）である。
【００１８】
図２において、袖口相当部分２０７の長さＬ７は、特に限定されないが、例えば一尺五寸（５６．８ｃｍ）以上である。Ｌ７は、好ましくは一尺六寸（６０．６ｃｍ）以上である。Ｌ７は、より好ましくは一尺七寸（６４．３ｃｍ）以上である。Ｌ７の上限値は特に限定されず、長さが大きければ裏地用生地として用いやすいが、例えば三尺（１１４ｃｍ）以下である。
【００１９】
図２の生地一枚の長さは、好ましくは十尺（一丈）五寸五分（４００ｃｍ）以上である。前記生地一枚の長さは、より好ましくは十一尺（一丈一尺、４１６ｃｍ）以上である。例えば、三丈三尺五寸（１２６９ｃｍ）〜三丈四尺（１２８８ｃｍ）、好ましくは三丈三尺五寸（１２６９ｃｍ）〜三丈五尺（１３２６ｃｍ）、より好ましくは三丈四尺（１２８８ｃｍ）〜三丈五尺（１３２６ｃｍ）の長さの裏地用の白生地一反を三等分し、それぞれを本考案の和服の裏地用生地としても良い。前記生地一枚の長さは、さらに好ましくは十一尺（一丈一尺）四寸五分（４３４ｃｍ）以上である。前記生地一枚の長さは、特に好ましくは十二尺（４５５ｃｍ）以上である。前記生地一枚の長さの上限値は、特に限定されず、長さが大きければ裏地用生地として用いやすいが、例えば、二十尺（７５８ｃｍ）以下である。
【００２０】
なお、図２におけるＬ１〜Ｌ７、Ｌ１０および生地一枚の長さの組み合わせを下記表１に例示する。ただし、下記表１は単なる例示であり、本考案を何ら限定しない。
【表１】
0003132642.tif 000003
【００２１】
図２において、裏地用生地の幅（図上下方向の寸法）Ｌ０は、特に限定されないが、例えば、九寸六分（３６．４ｃｍ）〜九寸八分（３７．１ｃｍ）である。前記幅Ｌ０は、好ましくは、九寸八分（３７．１ｃｍ）〜一尺（十寸）一分（３８．３ｃｍ）である。前記幅Ｌ０は、特に好ましくは、一尺（十寸）一分（３８．３ｃｍ）〜一尺（十寸）五分（３９．８ｃｍ）である。前記幅Ｌ０は、九寸六分（３６．４ｃｍ）未満でも良いし、一尺（十寸）五分（３９．８ｃｍ）を超えても良い。
【００２２】
図２において、袖口相当部分２０８の幅Ｌ８は、特に限定されないが、例えば、２寸９分（１１．０ｃｍ）〜３寸０分（１１．４ｃｍ）、好ましくは３寸０分（１１．４ｃｍ）〜３寸１分（１１．７ｃｍ）、より好ましくは３寸１分（１１．７ｃｍ）〜３寸２分５厘（１２．３ｃｍ）である。幅Ｌ８は、通常は左右の袖口で同じであるが、異なっていても良い。衿先相当部分２０９の幅Ｌ９は、特に限定されないが、例えば、３寸７分（１４．０ｃｍ）〜３寸８分（１４．４ｃｍ）、好ましくは３寸８分（１４．４ｃｍ）〜３寸９分（１４．８ｃｍ）、より好ましくは３寸９分（１４．８ｃｍ）〜４寸０分（１５．２ｃｍ）である。
【００２３】
本考案の和服の裏地用生地は、例えば図２のように、前記生地一枚が和服一着分の裏地に相当することが好ましいが、これには限定されない。例えば、本考案の裏地用生地は、図２のような生地が複数、縦または横につながって一枚の生地を形成し、本考案の和服の裏地用生地一枚から和服の裏地を複数着分取ることが可能であっても良い。
【実施例２】
【００２４】
次に、本考案の和服の裏地用生地における別の一例について説明する。
【００２５】
本考案の和服は、例えば、裾に裏地（八掛）を有し、前記裾における裏地が、縁とそれ以外の部分においてそれぞれ異なる色彩を有することが好ましい。図３に、このような和服の裏地用生地の一例を示す。図示の通り、この裏地用生地は、裏地の縁に相当する部分５の色彩以外は、図２の裏地用生地と同じである。裏地縁相当部分５は、左前身頃相当部分２０２、左後身頃相当部分２０３、右後身頃相当部分２０４、右前身頃相当部分２０５、および袖口相当部分２０８においては、第１のひだ相当部分３に隣接する。裏地縁相当部分５は、身頃相当部分２０２〜２０５においては、各部分の上端から下端まで達する帯状の形状を有する。裏地縁相当部分５は、袖口相当部分２０８においては、各部分の右端から左端まで達する帯状の形状を有する。また、裏地縁相当部分５は、衿先相当部分２０９においては、各部分の右端または左端に位置し、各部分の上端から下端まで達する帯状の形状を有する。裏地縁相当部分５は、左衽相当部分２０１および右衽相当部分２０６においては、身頃相当部分２０２〜２０５と同様、第１のひだ相当部分３に隣接した帯状の部分を有する。さらに、衽相当部分２０１および２０６においては、裏地縁相当部分５は、前記各部分の上端または下端に位置し、右端から左端まで達する帯状の部分を有する。その帯状部分は、第１のひだ相当部分３に隣接した帯状部分と一体となって、略Ｌ字型（鉤型）の裏地縁相当部分５を形成する。
【００２６】
図４に、図３の生地から仕立てた和服における裏地（八掛）の裾下部を例示する。図示の通り、裏地（八掛）１は、左衽部分２０１、左前身頃部分２０２、左後身頃部分２０３、右後身頃部分２０４、右前身頃部分２０５、および右衽部分２０６からなる。これら各部分は、第１のひだ３と、それ以外の部分４を有する。第１のひだ３は、図１に示したように表地側に折り返されている。このため、図４では、第１のひだ３は見えない。第１のひだ以外の部分４は、裏地（八掛）縁５を有する。縁５は、裏地裾の下端、右端および左端を帯状に縁取っている。
【００２７】
なお、図３および４では、第１のひだ以外の部分４において、縁５とそれ以外の部分が、それらの境界において明瞭に２色に分かれている。しかし、本考案はこれに限定されない。例えば、縁５とそれ以外の部分は、それらの境界において色彩が段階的に変化する、いわゆる「ぼかし」「グラデーション」等と呼ばれる方法により色分けしても良い。また、縁５とそれ以外の部分の境界は、例えば、波模様等の模様を形成していても良い。図５に、その一例を示す。図５は、本考案の和服における裏地（八掛）の裾下部の別の一例を示す図であり、縁５とそれ以外の部分の境界が波模様である以外は図４と同様である。本考案では、縁５とそれ以外の部分の境界は、これ以外の任意の模様、柄、シルエット等を形成していても良い。さらに、本考案では、縁５とそれ以外の部分の具体的な色彩も限定されない。例えば、表地との美観の調和等を考慮して、適宜色彩を選択することができる。
【００２８】
さらに、本考案の和服の裏地用生地は、以上の説明に限定されず、あらゆる変更が可能である。例えば、図２および３において符号２０１〜２０９で示した各部分の配置は、図２および３の配置に限定されず、どのように変更しても良い。図６および７に、前記配置を変更した裏地用生地を例示する。図６の裏地用生地は、左衽相当部分２０１および右衽相当部分２０６が左端に位置する。第１のひだ相当部分３は、裾相当部分２０１〜２０６において、全て、各部分の右端に位置する。これら以外は、図６の裏地用生地は、図２の裏地用生地と同じである。また、図７の裏地用生地は、左衽相当部分２０１および右衽相当部分２０６が左端に位置する。第１のひだ相当部分３は、裾相当部分２０１〜２０６において、全て、各部分の右端に位置する。これら以外は、図７の裏地用生地は、図３の裏地用生地と同じである。
【実施例３】
【００２９】
次に、本考案の和服の一例について、図８および９に基づき説明する。これらの図に示す和服は、図２または６の裏地用生地を用いて仕立てた本考案の和服である。
【００３０】
図８は、襟を開いた状態の正面図である。図示の通り、裏地（八掛）１の裾部分は、左衽部分２０１、左前身頃部分２０２、左後身頃部分２０３、右後身頃部分２０４、右前身頃部分２０５、および右衽部分２０６からなる。これら各部分は、第１のひだ３と、それ以外の部分４を有する。第１のひだ３は、図１に示したように表地側に折り返されている。このため、図８における裾部分では、第１のひだ相当部分３は見えない。また、裏地（八掛）１の袖口部分は、袖口相当部分２０８からなる。袖口からは、裏地１における第１のひだ３が露出している。裏地１の袖口部分における第１のひだ３以外の部分４は、折り返しにより形成された第２のひだを有する。前記第２のひだは、第１のひだ３の下端から露出している。第１のひだ３および前記第２のひだは、いずれも、同図の和服を装着した状態で外部から視認可能である。なお、図８は襟を開いた状態の正面図であるため、裏地の袖口部分（袖口相当部分２０８）の第１のひだ３および前記第２のひだ以外の部分は、図８では見えない。
【００３１】
図９に、図８の和服における襟を開いた状態の背面図を示す。図示の通り、表地２の裾下端からは、裏地１における第１のひだ３が露出し、右衽から左衽まで達している。裏地１の裾部分における第１のひだ３以外の部分４は、折り返しにより形成された第２のひだを有する。前記第２のひだは、第１のひだ３の下端から露出し、右衽から左衽まで達している。第１のひだ３および前記第２のひだは、いずれも、同図の和服を装着した状態で外部から視認可能である。袖口については、図８と同様である。また、図８および９の裾口および袖口において、表地２、第１のひだ３および前記第２のひだは、図１と同様に、内側に折り返した部分が縫い合わせにより固定されている。なお、図８および９は、前述の通り、和服の襟を開いた状態を示す図であるが、模式図であり、分かりやすいように形状を変形しているため、実際の和服の形状とは異なる。後述の図１０、図１１、図１２（ａ）、図１３（ａ）および図１４（ａ）において同じである。
【００３２】
本考案においては、裏地（八掛）の各ひだにおいて、外部から視認可能な部分の長さは、特に限定されない。ふき（裾口、袖口等から常時露出した裏地の一部）を有する従来の和服（特許文献１等参照）では、前記ふきを強調するために、例えば袖口から約１ｃｍ、裾口から約４〜５ｃｍ程度とかなり多く（長く）露出させる場合があった。本考案では、前記と同じ程度に、あるいはそれより長く前記各ひだを露出させても良いが、美観の観点から、前記よりもかなり控えめ（短め）に前記各ひだを露出させることが好ましい。例えば、図９の裾部分において、第１のひだ３の、外部から視認可能な部分の長さＬ１１は、例えば０．１５〜０．４ｃｍ、好ましくは０．１５〜０．３ｃｍ、より好ましくは０．２〜０．３ｃｍである。裾部分の第２のひだにおいて、外部から視認可能な部分の長さＬ１２は、例えば０．１５〜０．４ｃｍ、好ましくは０．１５〜０．３ｃｍ、より好ましくは０．２〜０．３ｃｍである。また、Ｌ１１およびＬ１２は、例えば、それぞれ４〜５ｃｍ程度の長さがあっても良い。図９の袖口部分において、第１のひだ３の、外部から視認可能な部分の長さＬ１３は、例えば０．１〜０．２ｃｍ、好ましくは０．１５〜０．２ｃｍ、より好ましくは０．２〜０．２５ｃｍである。裾部分の第２のひだにおいて、外部から視認可能な部分の長さＬ１４は、例えば０．１〜０．２ｃｍ、好ましくは０．１５〜０．２ｃｍ、より好ましくは０．２〜０．２５ｃｍである。また、Ｌ１３およびＬ１４は、例えば、それぞれ１ｃｍ程度の長さがあっても良い。これらＬ１１〜Ｌ１４の長さは、上記の数値に限定されず、美観等を考慮して任意に選択できる。Ｌ１１とＬ１２の比も特に限定されないが、例えば０．５：１〜０．７：１、好ましくは１：１〜１：１．２、特に好ましくは１：１．２〜１：１．５である。Ｌ１３とＬ１４の比も特に限定されないが、例えば０．５：１〜０．７：１、好ましくは１：１〜１：１．２、特に好ましくは１：１．２〜１：１．５である。また、本考案において、図面はあくまで例示であり、模式図であるから、実際には、各部の寸法の比率は図面の通りでなくても良い。例えば、図９では、見易さを考慮してＬ１１〜Ｌ１４の寸法を大き目に記載しているが、実際の本考案における和服では、他の各部分に対するＬ１１〜Ｌ１４の寸法は、図９より小さめでも良く、図９より大きめでも良く、図９の通りでも良い。本考案における他の図面においても同様である。
【実施例４】
【００３３】
次に、本考案の和服の別の一例について、図１０および１１に基づき説明する。これらの図に示す和服は、図３または７の裏地用生地を用いて仕立てた本考案の和服である。
【００３４】
図１０は、襟を開いた状態の正面図である。図示の通り、この和服の裏地（八掛）１は、第１のひだ３以外の部分４が、縁５を有する。さらに、図示の通り、袖口から表地側に露出している裏地の第２のひだは、裏地の縁５から形成されている。これら以外は、図８と同様である。縁５は、裏地裾においては、その下端、右端および左端を帯状に縁取っている。
【００３５】
図１１に、図１０の和服における襟を開いた状態の背面図を示す。図示の通り、袖口および裾口から表地側に露出している裏地の第２のひだは、裏地の縁５から形成されている。それ以外は図９と同様である。
【００３６】
なお、図８〜１１では、表地は無地であるが、本考案の和服では、表地の形状、構造、模様、色彩等は、特に限定されない。これらは、本考案の和服の種類、用途、美観等を考慮して適宜選択することができる。前記表地の形状、構造、模様、色彩等は、従来の和服に準じたものでも良いし、新規なものでも良い。
【実施例５】
【００３７】
次に、本考案の和服のさらに別の例について説明する。具体的には、訪問着、留袖、付下げ等である本考案の和服について説明する。
【００３８】
本考案の和服が、訪問着、付下げ等である場合、表地の模様は特に限定されない。例えば、格式高い印象を与え、正装に適するという観点から、表地の模様が、上下方向の定方向性および縫い目における連続性の少なくとも一方を有することが好ましい。より好ましくは、前記表地の模様は、上下方向の定方向性および縫い目における連続性の両方を有する。また、表地の右肩、左胸（襟左）、右外袖、左内袖、および裾からなる群から選択される少なくとも一つの部分が前記模様を有することがより好ましい。さらに好ましくは、前記各部分の全てが前記模様を有する。また、本考案は、これに限定されず、例えば、右内袖、左外袖、身中程、襟先等の部分が前記模様を有していても良い。表地の裾部分において、左衽、左前身頃、左後身頃、右後身頃、右前身頃および右衽の全てが前記模様を有し、前記模様が縫い目における連続性を有することがより好ましい。また、本考案において、裾部分の模様はこれに限定されない。例えば、左衽、左前身頃、左後身頃、右後身頃、右前身頃および右衽の六つの部分のうち、いずれか一つ〜五つの部分のみが前記模様を有していても良いし、全ての部分が前記模様を有していなくても良い。なお、留袖の場合、表地の模様は特に限定されないが、その用途の観点から、例えば、従来の留袖と同様に、家紋と裾まわり部分の柄のみを模様として有し、それ以外の部分は無地であることが好ましい。表地にこのような模様を付与する方法は、特に限定されない。例えば、型染め、手描き、印刷、糊置防染法（友禅染め）、ろうけつ染め、絞り、刺繍、ホットメルト法、板染め柄足し、金柄足し彩色（金粉、金箔等による彩色）、異生地柄付け、ガン抜彩色、染抜彩色、ダンマル染色、木版、捺染染め（ロール染め）、印押染め、版画、スタンプ、ピース彩色および草木染めからなる群から選択される少なくとも一つであることが好ましい。
【００３９】
図１２の模式図に、訪問着、付下げ等である本考案の和服の一例を示す。図１２（ａ）は、襟を開いた状態の背面図である。図１２（ｂ）は、襟を閉じた状態の正面図である。図示の通り、この和服は、表地に模様９０を有する。模様９０は、表地の縫い目において連続性を有している。それ以外は、図８および６の和服と同様である。なお、模様９０の形状は、図１２においては円形で示しているが、特に限定されず、花柄（草花柄）、幾何学模様、有職文様、自然風景、器物文様、線または線により描いた図形等、どのような模様でも良い。例えば、花柄（草花柄）を連続して描いても良い。線または線により描いた図形とは、特に限定されないが、例えば、縦線、横線、縦縞、横縞、格子模様等を、表地の全部または一部に描いたものでも良い。また、例えば、前述のように、模様９０が上下方向の定方向性を有することが好ましい。さらに、本考案の和服の模様の位置、形状等は、上記の説明には限定されず、需要者（消費者）の嗜好、作家の作風等に応じて任意に選択可能である。以下の実施例においても同様である。
【実施例６】
【００４０】
次に、本考案の和服のさらに別の例について説明する。具体的には、小紋または着尺小紋である本考案の和服について説明する。
【００４１】
本考案において、「小紋」とは、表地に複数の同じ模様が一方向に繰り返し描かれている和服を言う。模様の大きさは限定されない。前記模様は、和服（小紋）に仕立てた際、上下方向の定方向性を有していても良いが、有していなくても良い。前記模様は、和服（小紋）に仕立てた際、縫い目において連続性を有していても良いが、有していなくても良い。本考案において、「着尺小紋」とは、一枚で和服一着を仕立てることができる表地用生地（着尺）から仕立てた小紋を言う。なお、「着尺」という用語の定義は多用であり、当業者間でもその定義は一義的ではない。例えば、前記の通り、一枚で和服一着を仕立てることができる表地用生地のことを着尺と言う場合がある。また、そのような生地であっても、色彩や模様を付与していない白生地の場合は、着尺と言う場合も言わない場合もある。さらに、和服一着を仕立てることができる表地用生地であっても、訪問着、留袖、付下げ等の正装用生地の場合は、着尺とは言わない場合もある。さらに、仕立て上がった和服であって、小紋等の普段着であるものを着尺と言う場合もある。しかし、本考案では、前記の通り、一枚で和服一着を仕立てることができる表地用生地を着尺と言い、そのような表地用生地であれば、白生地、正装用生地、普段着用生地等の種類に関わらず、全て着尺と言うものとする。また、本考案では、仕立て上がった和服もしくは仮仕立てをした生地の状態であるものは、単に「着尺」とは言わないものとする。すなわち、本考案で、単に「着尺」というときは、前記のような表地用生地であって、仮仕立てをしていない反物の状態をいうものとする。着尺は、一般的には丸巻状態で販売されることが多いが、これには限定されない。また、本考案で「着尺小紋」とは、前述の通り、着尺から仕立てた小紋を言う。
【００４２】
図１３に、本考案の小紋の一例を示す。図１３（ａ）は、襟を開いた状態の背面図である。図１３（ｂ）は、襟を閉じた状態の正面図である。図示の通り、この小紋は、表地に模様１００を有する。それ以外は、図８および１１の和服と同様である。模様１００は、同じ模様が一方向に繰り返し描かれている。模様１００は、上下方向の定方向性を有さず、表地の縫い目において連続性を有しない。模様１００の形状は、図１３においては三角形で示しているが、特に限定されず、花柄（草花柄）、幾何学模様、有職文様、自然風景、器物文様、線または線により描いた図形等、どのような模様でも良い。例えば、花柄（草花柄）を連続して描いても良い。線または線により描いた図形とは、特に限定されないが、例えば、縦線、横線、縦縞、横縞、格子模様等を、表地の全部または一部に描いたものでも良い。
【００４３】
本考案において、小紋の製造方法は特に限定されない。例えば、表地用生地は、白生地に複数の同じ模様を一方向に繰り返し描いて製造しても良い。前記模様を描く方法は特に限定されない。例えば、型染め、手描き、印刷、糊置防染法（友禅染め）、ろうけつ染め、絞り、刺繍、ホットメルト法、板染め柄足し、金柄足し彩色（金粉、金箔等による彩色）、異生地柄付け、ガン抜彩色、染抜彩色、ダンマル染色、木版、捺染染め（ロール染め）、印押染め、版画、スタンプ、ピース彩色および草木染めからなる群から選択される少なくとも一つであることが好ましい。同じ模様を一方向に繰り返し描くためには、前記方法のうち、例えば、型染め、捺染染め（ロール染め）、印押染め、版画、スタンプ、ピース彩色、手描きからなる群から選択される少なくとも一つがより好ましいが、それ以外の方法でも良い。このようにして製造した表地用生地と、裏地用生地とを用いて、適宜な方法での仕立てにより本考案の小紋を製造することができる。本考案の小紋は、前記一方向に繰り返し模様を描く工程および仕立ての工程における制約が少なく、簡便に製造できるという観点から、和服（小紋）に仕立てた際に、前記模様が上下方向の定方向性および縫い目における連続性を有しないことが好ましい。しかし、これには限定されず、前記模様が上下方向の定方向性、縫い目における連続性等を有していても良い。
【００４４】
本考案の小紋の用途は特に限定されない。本考案の小紋は、複数の同じ模様が一方向に繰り返し描かれていることにより、例えば、気軽でくつろいだ印象を与えやすい。この観点から、本考案の小紋は、例えば普段着として用いることが好ましい。前記模様が上下方向の定方向性および縫い目における連続性を有しない場合は、さらに気軽でくつろいだ印象を与えやすい。
【実施例７】
【００４５】
次に、本考案の和服のさらに別の例について説明する。
【００４６】
本考案の和服は、小紋であると同時に、訪問着等に準じた性質を有していても良い。すなわち、本考案の和服は、表地が第１の模様と第２の模様を有し、前記第１の模様は、複数の同じ模様が一方向に繰り返し描かれており、前記第２の模様は、上下方向の定方向性および縫い目における連続性の少なくとも一方を有することが好ましい。以下、このような本考案の和服を「着訪着」または「貴宝着」と言うことがある。
【００４７】
前記着訪着は、前記第２の模様が、上下方向の定方向性および縫い目における連続性の少なくとも一方を有することにより、格式高い印象を与え、正装として用いることができる。前記第２の模様が、上下方向の定方向性および縫い目における連続性の両方を有していると、さらに格式高い印象を与えるため好ましい。前記着訪着は、例えば、表地の右肩、左胸（襟左）、右外袖、左内袖、および裾からなる群から選択される少なくとも一つの部分が前記第２の模様を有することが好ましい。より好ましくは、前記各部分の全てが前記第２の模様を有する。また、本考案は、これに限定されず、例えば、右内袖、左外袖、身中程、襟先等の部分が前記第２の模様を有していても良い。また、表地の裾部分において、左衽、左前身頃、左後身頃、右後身頃、右前身頃および右衽の全てが前記第２の模様を有し、前記第２の模様が縫い目における連続性を有することが好ましい。また、本考案において、裾部分の模様はこれに限定されない。例えば、左衽、左前身頃、左後身頃、右後身頃、右前身頃および右衽の六つの部分のうち、いずれか一つ〜五つの部分のみが前記第２の模様を有していても良いし、全ての部分が前記第２の模様を有していなくても良い。
【００４８】
前記着訪着は、前記第１の模様として複数の同じ模様が一方向に繰り返し描かれている和服、すなわち小紋でもある。このため、気軽でくつろいだ印象を与えやすく、普段着としても適する。すなわち、本考案における着訪着は、正装および普段着の両方に適した、幅広い用途を有する和服である。その用途は、特に限定されない。例えば、前記第１の模様および前記第２の模様を適切に選択することで、他家訪問、茶席、会合出席、または前述の各種和服と同様の種々の用途等に用いることができる。
【００４９】
図１４に、本考案の着訪着の一例を示す。図１４（ａ）は、襟を開いた状態の背面図である。図１４（ｂ）は、襟を閉じた状態の正面図である。図示の通り、この着訪着は、表地に第１の模様１００および第２の模様９０を有する。第１の模様１００は、同じ模様が一方向に繰り返し描かれている。第１の模様１００は、上下方向の定方向性を有さず、表地の縫い目において連続性を有しない。第１の模様１００の形状は、図１４においては三角形で示しているが、特に限定されず、花柄（草花柄）、幾何学模様、有職文様、自然風景、器物文様、線または線により描いた図形等、どのような模様でも良い。例えば、花柄（草花柄）を連続して描いても良い。線または線により描いた図形とは、特に限定されないが、例えば、縦線、横線、縦縞、横縞、格子模様等を、表地の全部または一部に描いたものでも良い。第２の模様９０は、表地の縫い目において連続性を有している。第２の模様９０の形状は、図１４においては円形で示しているが、特に限定されず、花柄（草花柄）、幾何学模様、有職文様、自然風景、器物文様、線または線により描いた図形等、どのような模様でも良い。例えば、花柄（草花柄）を連続して描いても良い。線または線により描いた図形とは、特に限定されないが、例えば、縦線、横線、縦縞、横縞、格子模様等を、表地の全部または一部に描いたものでも良い。これら以外は、図１２または１３と同様である。
【００５０】
本考案の着訪着の表地に用いる生地は特に限定されない。例えば、前記生地が、前記第１の模様および第２の模様を有することが好ましい。また、生地から表地を仕立てた後に模様を描いても良い。
【００５１】
本考案の着訪着の製造方法は特に限定されない。例えば、着訪着の表地が、下記工程（１）および（２）を含む製造方法により製造されることが好ましい。
（１）  前記第１の模様を有する生地を準備する工程
および、
（２）  前記第１の模様を有する生地または表地に、さらに前記第２の模様を付与する工程
【００５２】
前記工程（１）および（２）は特に限定されないが、例えば以下の通りである。すなわち、前記工程（１）は、例えば、白生地に、前記第１の模様として複数の同じ模様を一方向に繰り返し描くことにより行っても良い。詳しくは、前述した本考案の小紋の表地用生地の製造方法と同様である。
【００５３】
前記工程（２）は、例えば、前記第１の模様を有する生地に前記第２の模様を付与した後、着訪着の表地に仕立てても良い。また、前記第１の模様を有する生地を着訪着の表地に仕立てた後、前記第２の模様を付与しても良い。前記工程（２）において、前記第２の模様を付与する方法は、特に限定されない。例えば、型染め、手描き、印刷、糊置防染法（友禅染め）、ろうけつ染め、絞り、刺繍、ホットメルト法、板染め柄足し、金柄足し彩色（金粉、金箔等による彩色）、異生地柄付け、ガン抜彩色、染抜彩色、ダンマル染色、木版、捺染染め（ロール染め）、印押染め、版画、スタンプ、ピース彩色および草木染めからなる群から選択される少なくとも一つであることが好ましい。
【００５４】
また、本考案の着訪着における表地の製造方法は、例えば、前記第１の模様および第２の模様を付与する順番が前記と逆であっても良い。すなわち、本考案の着訪着は、前記表地が、
（１’）  前記第２の模様を有する生地を準備する工程
および、
（２’）  前記第２の模様を有する生地または表地に、さらに前記第１の模様を付与する工程
を含む製造方法により製造されても良い。
【００５５】
前記工程（１’）および（２’）は特に限定されないが、例えば以下の通りである。すなわち、前記工程（１’）は、例えば、前述した本考案の訪問着、付下げ等の表地用生地の製造方法と同様である。
【００５６】
前記工程（２’）は、例えば、前記第２の模様を有する生地に前記第１の模様を付与した後、着訪着の表地に仕立てても良い。また、前記第２の模様を有する生地を着訪着の表地に仕立てた後、前記第１の模様を付与しても良い。前記工程（２’）において、前記第１の模様を付与する方法は、特に限定されないが、例えば、型染め、手描き、印刷、糊置防染法（友禅染め）、ろうけつ染め、絞り、刺繍、ホットメルト法、板染め柄足し、金柄足し彩色（金粉、金箔等による彩色）、異生地柄付け、ガン抜彩色、染抜彩色、ダンマル染色、木版、捺染染め（ロール染め）、印押染め、版画、スタンプ、ピース彩色および草木染めからなる群から選択される少なくとも一つであることが好ましい。前記第１の模様を付与する方法は、例えば、前述した本考案の小紋の表地用生地と同様であっても良い。
【００５７】
本考案の着訪着の裏地用生地については特に限定されない。例えば、図２または３に示した裏地用生地を用いても良い。また、裏地用生地と表地用生地を仕立てて着訪着とする方法は、特に限定されず、適宜な方法を用いることが出来る。
【００５８】
以上、本考案の和服およびその裏地用生地について例示しながら説明したが、本考案はこれらに限定されない。例えば、図１〜１４では、本考案の和服装着状態で外部から視認可能なひだが２つである例を示したが、前記ひだは、前述の通り３つ以上でも良い。また、図２〜１４では、前記ひだを裾口および袖口の両方に有する例を示した。これ以外に、本考案の和服は、前述の通り、前記ひだを裾口のみに有していても良いし、袖口のみに有していても良い。
【産業上の利用可能性】
【００５９】
以上説明したとおり、本考案によれば、裏地の形状と構造により新規な美観を発揮する和服、および和服の裏地用生地を提供することができる。本考案の和服の用途は特に限定されず、正装、普段着等、多様な用途に使用可能である。
【図面の簡単な説明】
【００６０】
【図１】図１は、本考案の和服の一例における裾口または袖口の一部を示す図である。図１（ａ）は断面図であり、図１（ｂ）は斜視図である。
【図２】図２は、本考案の和服に用いる裏地（八掛）用生地の一例を示す図である。
【図３】図３は、本考案の和服に用いる裏地（八掛）用生地の別の一例を示す図である。
【図４】図４は、図３の生地から仕立てた八掛の一部を示す図である。
【図５】図５は、本考案の和服における八掛の別の一例の一部を示す図である。
【図６】図６は、本考案の和服に用いる裏地（八掛）用生地の別の一例を示す図である。
【図７】図７は、本考案の和服に用いる裏地（八掛）用生地の別の一例を示す図である。
【図８】図８は、本考案の和服の一例において、襟を開いた状態の正面図である。
【図９】図９は、図８の和服において、襟を開いた状態の背面図である。
【図１０】図１０は、本考案の和服の別の一例において、襟を開いた状態の正面図である。
【図１１】図１１は、図１０の和服において、襟を開いた状態の背面図である。
【図１２】図１２は、本考案の和服のさらに別の一例を示す図である。図１２（ａ）は、襟を開いた状態の背面図である。図１２（ｂ）は、襟を閉じた状態の正面図である。
【図１３】図１３は、本考案の和服のさらに別の一例を示す図である。図１３（ａ）は、襟を開いた状態の背面図である。図１３（ｂ）は、襟を閉じた状態の正面図である。
【図１４】図１４は、本考案の和服のさらに別の一例を示す図である。図１４（ａ）は、襟を開いた状態の背面図である。図１４（ｂ）は、襟を閉じた状態の正面図である。
【符号の説明】
【００６１】
１    裏地（八掛）
２    表地
３    裏地（八掛）の裾における第１のひだ、または裏地用生地における前記第１のひだに相当する部分
４    裏地（八掛）の裾における第１のひだ以外の部分、または裏地用生地における前記第１のひだ以外に相当する部分
５    裏地（八掛）の縁部分、または裏地用生地における前記縁相当部分
２０１〜２０６  裏地（八掛）の裾部分、または裏地用生地における前記裾相当部分
２０１    裏地（八掛）の左衽部分、または裏地用生地における左衽相当部分
２０２    裏地（八掛）の左前身頃部分、または裏地用生地における左前身頃相当部分
２０３    裏地（八掛）の左後身頃部分、または裏地用生地における左後身頃相当部分
２０４    裏地（八掛）の右後身頃部分、または裏地用生地における右後身頃相当部分
２０５    裏地（八掛）の右前身頃部分、または裏地用生地における右前身頃相当部分
２０６    裏地（八掛）の右衽部分、または裏地用生地における右衽相当部分
２０７    裏地用生地における袖口および衿先相当部分
２０８    裏地用生地における袖口相当部分
２０９    裏地用生地における衿先相当部分
９０    第１の模様
１００    第２の模様
【図１】
0003132642.tif 000004
【図２】
0003132642.tif 000005
【図３】
0003132642.tif 000006
【図４】
0003132642.tif 000007
【図５】
0003132642.tif 000008
【図６】
0003132642.tif 000009
【図７】
0003132642.tif 000010
【図８】
0003132642.tif 000011
【図９】
0003132642.tif 000012
【図１０】
0003132642.tif 000013
【図１１】
0003132642.tif 000014
【図１２】
0003132642.tif 000015
【図１３】
0003132642.tif 000016
【図１４】
0003132642.tif 000017
【手続補正書】
【提出日】平成19年4月12日(2007.4.12)
【手続補正１】
【補正対象書類名】明細書
【補正対象項目名】００３２
【補正方法】変更
【補正の内容】
【００３２】
本考案においては、裏地（八掛）の各ひだにおいて、外部から視認可能な部分の長さは、特に限定されない。ふき（裾口、袖口等から常時露出した裏地の一部）を有する従来の和服（特許文献１等参照）では、前記ふきを強調するために、例えば袖口から約１ｃｍ、裾口から約４〜５ｃｍ程度とかなり多く（長く）露出させる場合があった。本考案では、前記と同じ程度に、あるいはそれより長く前記各ひだを露出させても良いが、美観の観点から、前記よりもかなり控えめ（短め）に前記各ひだを露出させることが好ましい。例えば、図９の裾部分において、第１のひだ３の、外部から視認可能な部分の長さＬ１１は、例えば０．１５〜０．４ｃｍ、好ましくは０．１５〜０．３ｃｍ、より好ましくは０．２〜０．３ｃｍである。裾部分の第２のひだにおいて、外部から視認可能な部分の長さＬ１２は、例えば０．１５〜０．４ｃｍ、好ましくは０．１５〜０．３ｃｍ、より好ましくは０．２〜０．３ｃｍである。また、Ｌ１１およびＬ１２は、例えば、それぞれ４〜５ｃｍ程度の長さがあっても良い。図９の袖口部分において、第１のひだ３の、外部から視認可能な部分の長さＬ１３は、例えば０．１〜０．２ｃｍ、好ましくは０．１５〜０．２ｃｍ、より好ましくは０．２〜０．２５ｃｍである。袖口部分の第２のひだにおいて、外部から視認可能な部分の長さＬ１４は、例えば０．１〜０．２ｃｍ、好ましくは０．１５〜０．２ｃｍ、より好ましくは０．２〜０．２５ｃｍである。また、Ｌ１３およびＬ１４は、例えば、それぞれ１ｃｍ程度の長さがあっても良い。これらＬ１１〜Ｌ１４の長さは、上記の数値に限定されず、美観等を考慮して任意に選択できる。Ｌ１１とＬ１２の比も特に限定されないが、例えば０．５：１〜０．７：１、好ましくは１：１〜１：１．２、特に好ましくは１：１．２〜１：１．５である。Ｌ１３とＬ１４の比も特に限定されないが、例えば０．５：１〜０．７：１、好ましくは１：１〜１：１．２、特に好ましくは１：１．２〜１：１．５である。また、本考案において、図面はあくまで例示であり、模式図であるから、実際には、各部の寸法の比率は図面の通りでなくても良い。例えば、図９では、見易さを考慮してＬ１１〜Ｌ１４の寸法を大き目に記載しているが、実際の本考案における和服では、他の各部分に対するＬ１１〜Ｌ１４の寸法は、図９より小さめでも良く、図９より大きめでも良く、図９の通りでも良い。本考案における他の図面においても同様である。
【手続補正２】
【補正対象書類名】明細書
【補正対象項目名】００３９
【補正方法】変更
【補正の内容】
【００３９】
図１２の模式図に、訪問着、付下げ等である本考案の和服の一例を示す。図１２（ａ）は、襟を開いた状態の背面図である。図１２（ｂ）は、襟を閉じた状態の正面図である。図示の通り、この和服は、表地に模様９０を有する。模様９０は、表地の縫い目において連続性を有している。それ以外は、図８および９の和服と同様である。なお、模様９０の形状は、図１２においては円形で示しているが、特に限定されず、花柄（草花柄）、幾何学模様、有職文様、自然風景、器物文様、線または線により描いた図形等、どのような模様でも良い。例えば、花柄（草花柄）を連続して描いても良い。線または線により描いた図形とは、特に限定されないが、例えば、縦線、横線、縦縞、横縞、格子模様等を、表地の全部または一部に描いたものでも良い。また、例えば、前述のように、模様９０が上下方向の定方向性を有することが好ましい。さらに、本考案の和服の模様の位置、形状等は、上記の説明には限定されず、需要者（消費者）の嗜好、作家の作風等に応じて任意に選択可能である。以下の実施例においても同様である。
【手続補正３】
【補正対象書類名】明細書
【補正対象項目名】００４２
【補正方法】変更
【補正の内容】
【００４２】
図１３に、本考案の小紋の一例を示す。図１３（ａ）は、襟を開いた状態の背面図である。図１３（ｂ）は、襟を閉じた状態の正面図である。図示の通り、この小紋は、表地に模様１００を有する。それ以外は、図８および９の和服と同様である。模様１００は、同じ模様が一方向に繰り返し描かれている。模様１００は、上下方向の定方向性を有さず、表地の縫い目において連続性を有しない。模様１００の形状は、図１３においては三角形で示しているが、特に限定されず、花柄（草花柄）、幾何学模様、有職文様、自然風景、器物文様、線または線により描いた図形等、どのような模様でも良い。例えば、花柄（草花柄）を連続して描いても良い。線または線により描いた図形とは、特に限定されないが、例えば、縦線、横線、縦縞、横縞、格子模様等を、表地の全部または一部に描いたものでも良い。